(57)【特許請求の範囲】
【請求項１】
平行な一対の長辺を有する長方形状の免疫クロマト試験片のセンターラインと位置合わせ予定ラインとの合致可能なカートリッジであって、
前記位置合わせ予定ラインに対して直交する方向に平行運動する長尺状の第１の押え部材と、
前記第１の押え部材に対して平行に延在すると共に、前記位置合わせ予定ラインに対して直交する方向に前記平行運動する長尺状の第２の押え部材と、
前記第１の押え部材と前記第２の押え部材との間の前記位置合わせ予定ラインに対して、前記第１の押え部材と前記第２の押え部材とを等距離で離間及び接近を可能にする平行運動手段とを備え、
前記平行運動手段は、
前記位置合わせ予定ラインの延在方向に移動自在なスライダと、
前記スライダの移動を前記第１及び第２の押え部材の前記平行運動に変換する運動変換機構とからなり、
前記運動変換機構は、
前記第１の押え部材に形成されて、前記スライダに設けられる第１の起立部が挿入されると共に、前記位置合わせ予定ラインに対して傾けられて延在する第１のガイド溝と、
前記第１及び第２の押え部材と前記スライダとの間に配置されたベースの外縁に形成されて、前記第１の起立部が摺動すると共に、前記位置合わせ予定ラインの方向に延在する第１のガイド面と、
前記第１の押え部材に形成されて、前記ベースに設けられる第２の起立部が挿入されると共に、前記位置合わせ予定ラインに対して直交して延在する第２のガイド溝と、
前記第２の押え部材に形成されて、前記スライダに設けられる第３の起立部が挿入されると共に、前記位置合わせ予定ラインに対して傾けられて延在する第３のガイド溝と、
前記ベースの外縁に形成されて、前記第３の起立部が摺動すると共に、前記位置合わせ予定ラインの方向に延在する第２のガイド面と、
前記第２の押え部材に形成されて、前記ベースに設けられる第４の起立部が挿入されると共に、前記位置合わせ予定ラインに対して直交して延在する第４のガイド溝とからなることを特徴とするカートリッジ。
【請求項２】
平行な一対の長辺を有する長方形状の免疫クロマト試験片のセンターラインと位置合わせ予定ラインとの合致可能なカートリッジであって、
前記位置合わせ予定ラインに対して直交する方向に平行運動する長尺状の第１の押え部材と、
前記第１の押え部材に対して平行に延在すると共に、前記位置合わせ予定ラインに対して直交する方向に前記平行運動する長尺状の第２の押え部材と、
前記第１の押え部材と前記第２の押え部材との間の前記位置合わせ予定ラインに対して、前記第１の押え部材と前記第２の押え部材とを等距離で離間及び接近を可能にする平行運動手段とを備え、
前記平行運動手段は、
前記位置合わせ予定ラインの延在方向に移動自在なスライダと、
前記スライダの移動を前記第１及び第２の押え部材の前記平行運動に変換する運動変換機構とからなり、
前記運動変換機構は、
前記第１の押え部材に形成されて、前記スライダに設けられる第１の起立部が挿入されると共に、前記位置合わせ予定ラインに対して傾けられて延在する第１のガイド溝と、
前記第１及び第２の押え部材と前記スライダとの間に配置されたベースに形成されて、前記第１の起立部が挿入されると共に、前記位置合わせ予定ラインの方向に延在する第２のガイド溝と、
前記第１の押え部材に形成されて、前記ベースに設けられる第２の起立部が挿入されると共に、前記位置合わせ予定ラインに対して直交して延在する第３のガイド溝と、
前記第２の押え部材に形成されて、前記スライダに設けられる第３の起立部が挿入されると共に、前記位置合わせ予定ラインに対して傾けられて延在する第４のガイド溝と、
前記ベースに形成されて、前記第３の起立部が挿入されると共に、前記位置合わせ予定ラインの方向に延在する第５のガイド溝と、
前記第２の押え部材に形成されて、前記ベースに設けられる第４の起立部が挿入されると共に、前記位置合わせ予定ラインに対して直交して延在する第６のガイド溝とからなることを特徴とするカートリッジ。
【請求項３】
平行な一対の長辺を有する長方形状の免疫クロマト試験片のセンターラインと位置合わせ予定ラインとの合致可能なカートリッジであって、
前記位置合わせ予定ラインに対して直交する方向に平行運動する長尺状の第１の押え部材と、
前記第１の押え部材に対して平行に延在すると共に、前記位置合わせ予定ラインに対して直交する方向に前記平行運動する長尺状の第２の押え部材と、
前記第１の押え部材と前記第２の押え部材との間の前記位置合わせ予定ラインに対して、前記第１の押え部材と前記第２の押え部材とを等距離で離間及び接近を可能にする平行運動手段とを備え、
前記平行運動手段は、
前記位置合わせ予定ラインの延在方向に移動自在なスライダと、
前記スライダの移動を前記第１及び第２の押え部材の前記平行運動に変換する運動変換機構とからなり、
前記運動変換機構は、
前記スライダに形成されて、前記位置合わせ予定ラインに対して傾けられて延在する第１のガイド溝と、
前記第１のガイド溝に沿って摺動する第１のガイド片と、
前記第１及び第２の押え部材と前記スライダとの間に配置されたベースに形成されて、前記第１のガイド片と前記第１の押え部材とを連結する第１の起立部が挿入されると共に、前記位置合わせ予定ラインに対して直交して延在する第２のガイド溝と、
前記スライダに形成されて、前記位置合わせ予定ラインに対して傾けられて延在する第３のガイド溝と、
前記第３のガイド溝に沿って摺動する第２のガイド片と、
前記ベースに形成されて、前記第２のガイド片と前記第２の押え部材とを連結する第２の起立部が挿入されると共に、前記位置合わせ予定ラインに対して直交して延在する第４のガイド溝とからなることを特徴とするカートリッジ。
【請求項４】
平行な一対の長辺を有する長方形状の免疫クロマト試験片のセンターラインと位置合わせ予定ラインとの合致可能なカートリッジであって、
前記位置合わせ予定ラインに対して直交する方向に平行運動する長尺状の第１の押え部材と、
前記第１の押え部材に対して平行に延在すると共に、前記位置合わせ予定ラインに対して直交する方向に前記平行運動する長尺状の第２の押え部材と、
前記第１の押え部材と前記第２の押え部材との間の前記位置合わせ予定ラインに対して、前記第１の押え部材と前記第２の押え部材とを等距離で離間及び接近を可能にする平行運動手段とを備え、
前記平行運動手段は、
前記位置合わせ予定ラインの延在方向に移動自在なスライダと、
前記スライダの移動を前記第１及び第２の押え部材の前記平行運動に変換する運動変換機構とからなり、
前記運動変換機構は、
前記スライダを支持するベースに形成されて、前記位置合わせ予定ラインの方向に延在すると共に、前記スライダが摺動するスライダガイド溝と、
前記スライダに形成されて、前記位置合わせ予定ラインに対して傾けられて延在する第１のガイド溝と、
前記第１の押え部材に設けられて、前記第１のガイド溝に沿って摺動する第１のガイド片と、
前記第１のガイド片から前記位置合わせ予定ラインに対して直交する方向に突出する第２のガイド片と、
前記スライダに形成されて、前記位置合わせ予定ラインに対して傾けられて延在する第２のガイド溝と、
前記第２の押え部材に設けられて、前記第２のガイド溝に沿って摺動する第３のガイド片と、
前記第３のガイド片から前記位置合わせ予定ラインに対して直交する方向に突出する第４のガイド片と、
前記ベースに固定された第１の蓋板に形成されて、前記位置合わせ予定ラインに対して直交する方向に延在して前記第２のガイド片が摺動する第３のガイド溝と、
前記ベースに固定された第２の蓋板に形成されて、前記位置合わせ予定ラインに対して直交する方向に延在して前記第４のガイド片が摺動する第４のガイド溝とからなることを特徴とするカートリッジ。
【請求項５】
平行な一対の長辺を有する長方形状の免疫クロマト試験片のセンターラインと位置合わせ予定ラインとの合致可能なカートリッジであって、
前記位置合わせ予定ラインに対して直交する方向に平行運動する長尺状の第１の押え部材と、
前記第１の押え部材に対して平行に延在すると共に、前記位置合わせ予定ラインに対して直交する方向に前記平行運動する長尺状の第２の押え部材と、
前記第１の押え部材と前記第２の押え部材との間の前記位置合わせ予定ラインに対して、前記第１の押え部材と前記第２の押え部材とを等距離で離間及び接近を可能にする平行運動手段とを備え、
前記平行運動手段は、
交差して、交点を中心に回動自在に支持された第１及び第２のリンクと、
第１及び第２のリンクと前記第１及び第２の押え部材との間に配置されたベースと、
前記第１の押え部材に形成されて、前記第１のリンクの一端に設けられる第１の起立部が挿入されると共に、前記位置合わせ予定ラインの方向に延在する第１のガイド溝と、
前記第２の押え部材に形成されて、前記第１のリンクの他端に設けられる第２の起立部が挿入されると共に、前記位置合わせ予定ラインの方向に延在する第２のガイド溝と、
前記第１の押え部材に形成されて、前記第２のリンクの一端に設けられる第３の起立部が挿入されると共に、前記位置合わせ予定ラインの方向に延在する第３のガイド溝と、
前記第２の押え部材に形成されて、前記第２のリンクの他端に設けられる第４の起立部が挿入されると共に、前記位置合わせ予定ラインの方向に延在する第４のガイド溝と、
前記ベースに形成されて、前記第１、第２、第３及び第４の起立部が挿入されると共に、前記各起立部の摺動を可能にする円弧状の第５、第６、第７及び第８のガイド溝と、
前記第１の押え部材に形成されて、前記ベースに設けられる第５の起立部が挿入されると共に、前記位置合わせ予定ラインの方向に対して直交する方向に延在する第９のガイド溝と、
前記第２の押え部材に形成されて、前記ベースに設けられる第６の起立部が挿入されると共に、前記位置合わせ予定ラインの方向に対して直交する方向に延在する第１０のガイド溝とからなることを特徴とするカートリッジ。
【請求項６】
請求項１〜５に記載のカートリッジを備えた試験片測定装置。
【発明の詳細な説明】
【技術分野】
【０００１】
本発明は、免疫クロマト試験片に測定光を照射し、免疫クロマト試験片から発する光を検出する試験片測定装置と、この試験片測定装置に利用されるカートリッジとに関するものである。
【背景技術】
【０００２】
免疫クロマト試験片には、検体中の抗原（または抗体）との間で抗原抗体反応を起こす抗体（または抗原）が免疫クロマト試験片の特定の位置に予め帯状に塗布されている。色素で標識された検体中の抗原（または抗体）が展開液により上記特定の位置まで展開されると、帯状に塗布された抗体（または抗原）との間で検体中の抗原（または抗体）が抗原抗体反応を起こしてトラップされ、上記特定の位置には色素により発色した呈色領域（例えば、呈色ライン）が形成される。このような免疫クロマト試験片においては、形成された呈色領域の呈色度を光学的に測定することで、検体中の抗原（または抗体）の量を定量的に分析することができる。このような免疫クロマト試験片の呈色度を測定する装置に適用される従来のカートリッジとして、特表２００６−５２６７８０号公報がある。ここに開示されているカートリッジは、免疫クロマト試験片及びそれをケース内に収容した試薬カセット(免疫クロマト試験具)に対応するものであり、これらがカートリッジの窪みに装填される。
【０００３】
【特許文献１】特表２００６−５２６７８０号公報
【発明の開示】
【発明が解決しようとする課題】
【０００４】
しかしながら、前述した従来のカートリッジは、その両面を用いて、ある特定の免疫クロマト試験片毎(または免疫クロマト試験具毎)に対応して、測定対象である免疫クロマト試験片が測定の際に最適の位置となるように位置決めしているが、免疫クロマト試験片は、その大きさが様々であるために、測定する免疫クロマト試験片の種類の増加に伴い、カートリッジも同様に用意する必要があった。特に、免疫クロマト試験片の幅が異なる場合に、１種類のカートリッジで対応させることは困難であった。
【０００５】
本発明は、様々な幅の免疫クロマト試験片に対応可能な試験片測定装置及びカートリッジを提供することを目的とする。
【課題を解決するための手段】
【０００６】
本発明に係るカートリッジは、平行な一対の長辺を有する長方形状の免疫クロマト試験片のセンターラインと位置合わせ予定ラインとの合致可能なカートリッジであって、
位置合わせ予定ラインに対して直交する方向に平行運動する長尺状の第１の押え部材と、
第１の押え部材に対して平行に延在すると共に、位置合わせ予定ラインに対して直交する方向に平行運動する長尺状の第２の押え部材と、
第１の押え部材と第２の押え部材との間の位置合わせ予定ラインに対して、第１の押え部材と第２の押え部材とを等距離で離間及び接近を可能にする平行運動手段とを備え、
平行運動手段は、
位置合わせ予定ラインの延在方向に移動自在なスライダと、
スライダの移動を第１及び第２の押え部材の平行運動に変換する運動変換機構とからなることを特徴とする。
【０００７】
このカートリッジは、平行に延在する第１の押え部材と第２の押え部材は位置合わせ予定ラインに対して、等距離で離間及び接近が可能であるから、カートリッジの位置合わせ予定ラインに対して傾いて又は位置合わせ予定ラインから外れて、カートリッジ内に免疫クロマト試験片が配置された場合であっても、免疫クロマト試験片に向けて第１及び第２の押え部材が移動すると、第１及び第２の押え部材に免疫クロマト試験片が押されながら、免疫クロマト試験片のセンターラインがカートリッジの位置合わせ予定ラインに向かって移動し、最終的に、どのような幅の免疫クロマト試験片であっても、免疫クロマト試験片のセンターラインとカートリッジの位置合わせ予定ラインとが常に一致することになる。従って、作業性が良く、しかも免疫クロマト試験片の幅に関係なく、免疫クロマト試験片のセンターラインとカートリッジの位置合わせ予定ラインとを確実に一致させることができる。よって、カートリッジの位置合わせ予定ラインと試験片測定装置の測定光走査ラインとが一致するように、カートリッジを試験片測定装置上に配置させると、測定光走査ライン上に免疫クロマト試験片のセンターラインを常に配置させることができる。さらに、平行運動手段は、位置合わせ予定ラインの延在方向に移動自在なスライダと、スライダの移動を第１及び第２の押え部材の平行運動に変換する運動変換機構とからなる。従って、位置合わせ予定ラインの延在方向に移動自在なスライダを用いることで、カートリッジを薄型化することができる。
【０００８】
また、運動変換機構は、
第１の押え部材に形成されて、スライダに設けられる第１の起立部が挿入されると共に、位置合わせ予定ラインに対して傾けられて延在する第１のガイド溝と、
第１及び第２の押え部材とスライダとの間に配置されたベースの外縁に形成されて、第１の起立部が摺動すると共に、位置合わせ予定ラインの方向に延在する第１のガイド面と、
第１の押え部材に形成されて、ベースに設けられる第２の起立部が挿入されると共に、位置合わせ予定ラインに対して直交して延在する第２のガイド溝と、
第２の押え部材に形成されて、スライダに設けられる第３の起立部が挿入されると共に、位置合わせ予定ラインに対して傾けられて延在する第３のガイド溝と、
ベースの外縁に形成されて、第３の起立部が摺動すると共に、位置合わせ予定ラインの方向に延在する第２のガイド面と、
第２の押え部材に形成されて、ベースに設けられる第４の起立部が挿入されると共に、位置合わせ予定ラインに対して直交して延在する第４のガイド溝とからなると好適である。
このような運動変換機構を採用することで、簡単な構成でカートリッジの薄型化を可能にする。
【０００９】
また、運動変換機構は、
第１の押え部材に形成されて、スライダに設けられる第１の起立部が挿入されると共に、位置合わせ予定ラインに対して傾けられて延在する第１のガイド溝と、
第１及び第２の押え部材とスライダとの間に配置されたベースに形成されて、第１の起立部が挿入されると共に、位置合わせ予定ラインの方向に延在する第２のガイド溝と、
第１の押え部材に形成されて、ベースに設けられる第２の起立部が挿入されると共に、位置合わせ予定ラインに対して直交して延在する第３のガイド溝と、
第２の押え部材に形成されて、スライダに設けられる第３の起立部が挿入されると共に、位置合わせ予定ラインに対して傾けられて延在する第４のガイド溝と、
ベースに形成されて、第３の起立部が挿入されると共に、位置合わせ予定ラインの方向に延在する第５のガイド溝と、
第２の押え部材に形成されて、ベースに設けられる第４の起立部が挿入されると共に、位置合わせ予定ラインに対して直交して延在する第６のガイド溝とからなると好適である。
このような運動変換機構を採用することで、簡単な構成でカートリッジの薄型化を可能にする。
【００１０】
また、運動変換機構は、
スライダに形成されて、位置合わせ予定ラインに対して傾けられて延在する第１のガイド溝と、
第１のガイド溝に沿って摺動する第１のガイド片と、
第１及び第２の押え部材とスライダとの間に配置されたベースに形成されて、第１のガイド片と第１の押え部材とを連結する第１の起立部が挿入されると共に、位置合わせ予定ラインに対して直交して延在する第２のガイド溝と、
スライダに形成されて、位置合わせ予定ラインに対して傾けられて延在する第３のガイド溝と、
第３のガイド溝に沿って摺動する第２のガイド片と、
ベースに形成されて、第２のガイド片と第２の押え部材とを連結する第２の起立部が挿入されると共に、位置合わせ予定ラインに対して直交して延在する第４のガイド溝とからなると好適である。
このような運動変換機構を採用することで、簡単な構成でカートリッジの薄型化を可能にする。
【００１１】
また、運動変換機構は、
スライダを支持するベースに形成されて、位置合わせ予定ラインの方向に延在すると共に、スライダが摺動するスライダガイド溝と、
スライダに形成されて、位置合わせ予定ラインに対して傾けられて延在する第１のガイド溝と、
第１の押え部材に設けられて、第１のガイド溝に沿って摺動する第１のガイド片と、
第１のガイド片から位置合わせ予定ラインに対して直交する方向に突出する第２のガイド片と、
スライダに形成されて、位置合わせ予定ラインに対して傾けられて延在する第２のガイド溝と、
第２の押え部材に設けられて、第２のガイド溝に沿って摺動する第３のガイド片と、
第３のガイド片から位置合わせ予定ラインに対して直交する方向に突出する第４のガイド片と、
ベースに固定された第１の蓋板に形成されて、位置合わせ予定ラインに対して直交する方向に延在して第２のガイド片が摺動する第３のガイド溝と、
ベースに固定された第２の蓋板に形成されて、位置合わせ予定ラインに対して直交する方向に延在して第４のガイド片が摺動する第４のガイド溝とからなると好適である。
このような運動変換機構を採用することで、簡単な構成でカートリッジの薄型化を可能にする。
【００１２】
本発明に係るカートリッジは、平行な一対の長辺を有する長方形状の免疫クロマト試験片のセンターラインと位置合わせ予定ラインとの合致可能なカートリッジであって、
位置合わせ予定ラインに対して直交する方向に平行運動する長尺状の第１の押え部材と、
第１の押え部材に対して平行に延在すると共に、位置合わせ予定ラインに対して直交する方向に平行運動する長尺状の第２の押え部材と、
第１の押え部材と第２の押え部材との間の位置合わせ予定ラインに対して、第１の押え部材と第２の押え部材とを等距離で離間及び接近を可能にする平行運動手段とを備え、
平行運動手段は、
交差して、交点を中心に回動自在に支持された第１及び第２のリンクと、
第１及び第２のリンクと第１及び第２の押え部材との間に配置されたベースと、
第１の押え部材に形成されて、第１のリンクの一端に設けられる第１の起立部が挿入されると共に、位置合わせ予定ラインの方向に延在する第１のガイド溝と、
第２の押え部材に形成されて、第１のリンクの他端に設けられる第２の起立部が挿入されると共に、位置合わせ予定ラインの方向に延在する第２のガイド溝と、
第１の押え部材に形成されて、第２のリンクの一端に設けられる第３の起立部が挿入されると共に、位置合わせ予定ラインの方向に延在する第３のガイド溝と、
第２の押え部材に形成されて、第２のリンクの他端に設けられる第４の起立部が挿入されると共に、位置合わせ予定ラインの方向に延在する第４のガイド溝と、
ベースに形成されて、第１、第２、第３及び第４の起立部が挿入されると共に、各起立部の摺動を可能にする円弧状の第５、第６、第７及び第８のガイド溝と、
第１の押え部材に形成されて、ベースに設けられる第５の起立部が挿入されると共に、位置合わせ予定ラインの方向に対して直交する方向に延在する第９のガイド溝と、
第２の押え部材に形成されて、ベースに設けられる第６の起立部が挿入されると共に、位置合わせ予定ラインの方向に対して直交する方向に延在する第１０のガイド溝とからなることを特徴とする。
【００１３】
このカートリッジは、平行に延在する第１の押え部材と第２の押え部材は位置合わせ予定ラインに対して、等距離で離間及び接近が可能であるから、カートリッジの位置合わせ予定ラインに対して傾いて又は位置合わせ予定ラインから外れて、カートリッジ内に免疫クロマト試験片が配置された場合であっても、免疫クロマト試験片に向けて第１及び第２の押え部材が移動すると、第１及び第２の押え部材に免疫クロマト試験片が押されながら、免疫クロマト試験片のセンターラインがカートリッジの位置合わせ予定ラインに向かって移動し、最終的に、どのような幅の免疫クロマト試験片であっても、免疫クロマト試験片のセンターラインとカートリッジの位置合わせ予定ラインとが常に一致することになる。従って、作業性が良く、しかも免疫クロマト試験片の幅に関係なく、免疫クロマト試験片のセンターラインとカートリッジの位置合わせ予定ラインとを確実に一致させることができる。よって、カートリッジの位置合わせ予定ラインと試験片測定装置の測定光走査ラインとが一致するように、カートリッジを試験片測定装置上に配置させると、測定光走査ライン上に免疫クロマト試験片のセンターラインを常に配置させることができる。さらに、このような平行運動手段を採用することで、簡単な構成でカートリッジの薄型化を可能にする。
【発明の効果】
【００１６】
本発明によれば、様々な幅の免疫クロマト試験片に対応させることができる。
【発明を実施するための最良の形態】
【００１７】
以下、図面を参照しつつ本発明に係る試験片測定装置及びカートリッジの好適な実施形態について詳細に説明する。
【００１８】
(試験片測定装置の第１の実施形態)
図１に示されるように、試験片測定装置１は、検体が滴下された免疫クロマト試験片Ｔの呈色度を測定する装置であり、この免疫クロマト試験片Ｔは、カートリッジＣ１に収容した状態で試験片測定装置１の載置プレート３上に位置決め部材によって位置決めされて配置される。この場合の位置決め部材としては、載置プレート３に設けられる位置決めピン５と、カートリッジＣ１の下側ベース３６に設けられた位置決め孔３６ａ(図２参照)とからなり、位置決めピン５を、位置決め孔３６ａに挿入させることで、載置プレート３上でカートリッジＣ１が位置決めされる。このとき、レーザ光の走査ラインＰとカートリッジＣ１の位置合わせ予定ラインＬとが位置合わせされる。
【００１９】
さらに、試験片測定装置１は、水平方向に移動自在な光学ヘッド４を有し、この光学ヘッド４内には、真下に向けてレーザ光(測定光)を出射する半導体ＬＥＤ６と、レーザ光を集光する集光レンズ７と、半導体ＬＥＤ６と集光レンズ７との間に配置されて、レーザ光の光束を整形するためのスリットが設けられた光束整形プレート８が配置されている。さらに、光学ヘッド４内には、免疫クロマト試験片Ｔにレーザ光が照射されたときに、免疫クロマト試験片Ｔから発する光を検出する半導体受光素子９が収容されている。この半導体受光素子９の一例として、シリコン（Ｓｉ）ホトダイオードがある。
【００２０】
このように構成された光学ヘッド４は、走査機構１０によって水平方向に直線的に移動する。この走査機構１０は、水平方向で且つ走査方向に延在するガイドレール１１と、ガイドレール１１に沿って摺動するスライドブロック１２と、スライドブロック１２の駆動源をなすモータ１３と、モータ１３のジャフとに固定されたウォームギヤ１４と、するスライドブロック１２の側面に形成されたラック１５と、ウォームギヤ１４とラック１５に噛合するピニオン１６とを備えている。したがって、モータ１３を駆動させることによって、光学ヘッド４をガイドレール１１に沿って直線的に移動させることができ、光学ヘッド４から出射される測定光を直線的に移動させることができる。
【００２１】
(カートリッジの第１の実施形態)
図２〜図７に示されるように、試験片測定装置１の載置プレート３上に配置されるカートリッジＣ１は、平行な一対の長辺２ａを有する長方形状の免疫クロマト試験片ＴのセンターラインＳをカートリッジＣ１の位置合わせ予定ラインＬ(図４参照)上で位置決め可能である。なお、この位置合わせ予定ラインＬは、後述する第１の押え部材２０と第２の押え部材２１とが突き合わされたときの境界線と一致している。
【００２２】
このカートリッジＣ１は、位置合わせ予定ラインＬに対して直交する方向に平行運動する長尺状の第１の押え部材２０と、第１の押え部材２０に対して平行に延在すると共に、位置合わせ予定ラインＬに対して直交する方向に平行運動する長尺状の第２の押え部材２１と、位置合わせ予定ラインＬに対して、第１の押え部材２０と第２の押え部材２１とを等距離で離間及び接近を可能にする平行運動手段２２とを備えている。この平行運動手段２２は、位置合わせ予定ラインＬの延在方向に移動自在なスライダＳ１と、スライダＳ１の移動を第１及び第２の押え部材２０，２１の平行運動に変換する運動変換機構Ｍ１とからなる。従って、第１の押え部材２０と第２の押え部材２１との間に免疫クロマト試験片Ｔを配置させ、免疫クロマト試験片Ｔを、第１の押え部材２０と第２の押え部材２１とで挟み込む。このとき、第１及び第２の押え部材２０，２１の内側に設けられた、互いに平行に対面する突き当て面２０ａ，２１ａと免疫クロマト試験片Ｔの長辺２ａとが当接する。
【００２３】
簡単な構成でカートリッジＣ１の薄型化を可能にする運動変換機構Ｍ１は、第１の押え部材２０に形成されて、スライダＳ１に立設された第１の起立部(ピン)２３が挿入されると共に、位置合わせ予定ラインＬに対して傾けられて延在する第１のガイド溝２４と、第１及び第２の押え部材２０，２１とスライダＳ１との間に配置された上側ベース２６の外縁に形成されて、第１の起立部(ピン)２３が摺動すると共に、位置合わせ予定ラインＬの方向に延在する第１のガイド面２７と、第１の押え部材２０に形成されて、上側ベース２６に立設される第２の起立部(ネジ)２８が挿入されると共に、位置合わせ予定ラインＬに対して直交して延在する第２のガイド溝２９と、第２の押え部材２１に形成されて、スライダＳ１に立設された第３の起立部(ピン)３０が挿入されると共に、位置合わせ予定ラインＬに対して傾けられて延在する第３のガイド溝３１と、上側ベース２６の外縁に形成されて、第３の起立部(ピン)３０が摺動すると共に、位置合わせ予定ラインＬの方向に延在する第２のガイド面３２と、第２の押え部材２１に形成されて、上側ベース２６に立設される第４の起立部(ネジ)３３が挿入されると共に、位置合わせ予定ラインＬに対して直交して延在する第４のガイド溝３４とからなる。
【００２４】
このカートリッジＣ１では、スライダＳ１には、第１の起立部(ピン)２３と第３の起立部(ピン)３０がそれぞれ２本ずつ設けられ、これに対応して、第１の押え部材２０の第１のガイド溝２４と第２の押え部材２１の第３のガイド溝３１とがそれぞれ２本ずつ設けられている。また、上側ベース２６には、第２の起立部(ネジ)２８と第４の起立部(ネジ)３３がそれぞれ１本ずつ設けられ、これに対応して、第１の押え部材２０の第２のガイド溝２９と第２の押え部材２１の第４のガイド溝３４がそれぞれ１本ずつ設けられている。
【００２５】
更に、第１の押え部材２０の第１のガイド溝２４及び第２の押え部材２１の第３のガイド溝３１は、位置合わせ予定ラインＬに対して等角度(例えば３０度)に配置され、第１のガイド溝２４と第３のガイド溝３１とで「ハ」の字状になっている。このような配置によって、スライダＳ１の移動に伴って、位置合わせ予定ラインＬに対して、第１の押え部材２０と第２の押え部材２１とは等距離で離間及び接近するような平行運動を行わせることができる。また、４本のネジ３７によって連結された上側ベース２６と下側ベース３６とでスライダＳ１を挟み込み、上側ベース２６と下側ベース３６との間の隙間と、上側ベース２６の第１及び第２のガイド面２７，３２とによって、スライダＳ１は位置合わせ予定ラインＬに沿ってスムーズに移動できる。
【００２６】
また、第１及び第２の押え部材２０，２１の突き当て面２０ａ，２１ａには、それぞれコ字状の切り込み部２０ｂ，２１ｂが形成されている。スライダＳ１には、Ｌ字状のレバー３８ａ，３８ｂが設けられ、これによって、スライダＳ１を位置合わせ予定ラインＬの方向に容易に移動させることができる。切り込み部２０ｂ，２１ｂを設ける効果として、測定対象領域から押え部材２０，２１を遠ざけることで、測定時の邪魔になったり、押え部材２０，２１の側壁での乱反射等を抑制し、測定精度が向上する。また、切り込み部２０ｂ，２１ｂを目印として、免疫クロマト試験片Ｔの長手方向の位置決めにも役立ち、免疫クロマト試験片ＴをカートリッジＣ１に配置し易くなる。
【００２７】
(カートリッジの第２の実施形態)
図８〜図１０に示されるように、簡単な構成でカートリッジＣ２の薄型化を可能にする運動変換機構Ｍ２は、第１の押え部材４０に形成されて、スライダＳ２に立設された第１の起立部(ピン)４３が挿入されると共に、位置合わせ予定ラインＬに対して傾けられて延在する第１のガイド溝４４と、第１及び第２の押え部材４０，４１とスライダＳ２との間に配置された上側ベース４６に形成されて、第１の起立部(ピン)４３が挿入されると共に、位置合わせ予定ラインＬの方向に延在する第２のガイド溝４７と、第１の押え部材４０に形成されて、上側ベース４６に立設された第２の起立部(ピン)４８が挿入されると共に、位置合わせ予定ラインＬに対して直交して延在する第３のガイド溝４９と、第２の押え部材４１に形成されて、スライダＳ２に立設された第３の起立部(ピン)５０が挿入されると共に、位置合わせ予定ラインＬに対して傾けられて延在する第４のガイド溝５１と、上側ベース４６に形成されて、第３の起立部(ピン)５０が挿入されると共に、位置合わせ予定ラインＬの方向に延在する第５のガイド溝５２と、第２の押え部材４１に形成されて、上側ベース４６に立設された第４の起立部(ピン)５３が挿入されると共に、位置合わせ予定ラインＬに対して直交して延在する第６のガイド溝５４とからなる。
【００２８】
このカートリッジＣ２では、スライダＳ２には、第１の起立部(ピン)４３と第３の起立部(ピン)５０がそれぞれ２本ずつ設けられ、これに対応して、第１の押え部材４０の第１のガイド溝４４と第２の押え部材４１の第４のガイド溝５１と上側ベース４６の第２及び第５のガイド溝４７，５２がそれぞれ２本ずつ設けられている。また、上側ベース４６には、第２の起立部(ピン)４８と第４の起立部(ピン)５３がそれぞれ１本ずつ設けられ、これに対応して、第１の押え部材４０の第３のガイド溝４９と第２の押え部材４１の第６のガイド溝５４がそれぞれ１本ずつ設けられている。
【００２９】
更に、第１の押え部材４０の第１のガイド溝４４及び第２の押え部材４１の第４のガイド溝５１は、位置合わせ予定ラインＬに対して等角度(例えば３０度)に配置され、第１のガイド溝４４と第４のガイド溝５１とで「ハ」の字状になっている。このような配置によって、スライダＳ２の移動に伴って、位置合わせ予定ラインＬに対して、第１の押え部材４０と第２の押え部材４１とは等距離で離間及び接近するような平行運動を行わせることができる。
【００３０】
また、４本のネジ５７によって上側ベース４６と下側ベース５６とでスライダＳ２を挟み込み、上側ベース４６と下側ベース５６との間の隙間と、上側ベース４６の第２及び第５のガイド溝４７，５２とによって、スライダＳ２は位置合わせ予定ラインＬに沿ってスムーズに移動できる。スライダＳ２には、Ｌ字状のレバー５８ａ，５８ｂが設けられ、これによって、スライダＳ２を位置合わせ予定ラインＬの方向に容易に移動させることができる。
【００３１】
(カートリッジの第３の実施形態)
図１１〜図１３に示されるように、カートリッジＣ３は、は前述したカートリッジＣ２とかなり近似した構成を有しており、カートリッジＣ２と同一の構成には同一の符号を付し、その説明は省略し、相違点のみ詳述する。
【００３２】
簡単な構成でカートリッジＣ３の薄型化を可能にする運動変換機構Ｍ３では、スライダＳ３には、第１の起立部(ピン)４３と第３の起立部(ピン)５０がそれぞれ１本ずつ設けられ、これに対応して、第１の押え部材６０の第１のガイド溝４４と第２の押え部材６１の第４のガイド溝５１と上側ベース６６の第２及び第５のガイド溝４７，５２がそれぞれ１本ずつ設けられている。また、上側ベース６６には、第２の起立部(ピン)４８と第４の起立部(ピン)５３がそれぞれ２本ずつ設けられ、これに対応して、第１の押え部材６０の第３のガイド溝４９と第２の押え部材６１の第６のガイド溝５４がそれぞれ２本ずつ設けられている。
【００３３】
更に、第１の押え部材６０の第１のガイド溝４４及び第２の押え部材６１の第４のガイド溝５１は、位置合わせ予定ラインＬに対して等角度(例えば３０度)に配置され、第１のガイド溝４４と第４のガイド溝５１とで「ハ」の字状になっている。このような配置によって、スライダＳ３の移動に伴って、位置合わせ予定ラインＬに対して、第１の押え部材６０と第２の押え部材６１とは等距離で離間及び接近するような平行運動を行わせることができる。
【００３４】
また、４本のネジ５７によって上側ベース６６と下側ベース５６とでスライダＳ３を挟み込み、上側ベース６６と下側ベース５６との間の隙間と、上側ベース６６の第２及び第５のガイド溝４７，５２とによって、スライダＳ３は位置合わせ予定ラインＬに沿ってスムーズに移動できる。スライダＳ３には、Ｌ字状のレバー５８ａ，５８ｂが設けられ、これによって、スライダＳ３を位置合わせ予定ラインＬの方向に容易に移動させることができる。
【００３５】
(カートリッジの第４の実施形態)
図１４〜図１６に示されるように、簡単な構成でカートリッジＣ４の薄型化を可能にする運動変換機構Ｍ４は、スライダＳ４に形成されて、位置合わせ予定ラインＬに対して傾けられて延在する第１のガイド溝７０と、第１のガイド溝７０に沿って摺動する平行四辺形状の第１のガイド片７１と、長尺状の第１及び第２の押え部材７２，７３とスライダＳ４との間に配置された上側ベース７４に形成されて、第１のガイド片７１と第１の押え部材７２とを連結する第１の起立部７６が挿入されると共に、位置合わせ予定ラインＬに対して直交して延在する第２のガイド溝７７と、スライダＳ４に形成されて、位置合わせ予定ラインＬに対して傾けられて延在する第３のガイド溝７８と、第３のガイド溝７８に沿って摺動する平行四辺形状の第２のガイド片７９と、上側ベース７４に形成されて、第２のガイド片７９と第２の押え部材７３とを連結する第２の起立部８０が挿入されると共に、位置合わせ予定ラインＬに対して直交して延在する第４のガイド溝８１とからなる。この例では、第１及び第２の起立部７６，８０として雄ネジが利用されている。
【００３６】
更に、スライダＳ４の第１のガイド溝７０と第３のガイド溝７８は、位置合わせ予定ラインＬに対して等角度(例えば６０度)に配置され、第１のガイド溝７０と第３のガイド溝７８とで「Ｖ」の字状になっている。このような配置によって、スライダＳ４の移動に伴って、位置合わせ予定ラインＬに対して、第１の押え部材７２と第２の押え部材７３とは等距離で離間及び接近するような平行運動を行わせることができる。
【００３７】
また、４本のネジ８３によって連結された上側ベース７４と下側ベース８４とでスライダＳ４及びガイド片７１，７９を挟み込み、上側ベース７４の下面に形成した凹溝７４ａ内にスライダＳ４及びガイド片７１，７９を収容することで、スライダＳ４は位置合わせ予定ラインＬに沿ってスムーズに移動できる。また、スライダＳ４には、Ｌ字状のレバー８５ａ，８５ｂが設けられ、これによって、スライダＳ４を位置合わせ予定ラインＬの方向に容易に移動させることができる。
【００３８】
(カートリッジの第５の実施形態)
図１７〜図２０に示されるように、簡単な構成でカートリッジＣ５の薄型化を可能にする運動変換機構Ｍ５は、スライダＳ５を支持するベース９０に形成されて、位置合わせ予定ラインＬの方向に延在すると共に、スライダＳ５が摺動するスライダガイド溝９１と、スライダＳ５に形成されて、位置合わせ予定ラインＬに対して傾けられて延在する第１のガイド溝９２と、第１の押え部材９３に一体的に形成されて、第１のガイド溝９２に沿って摺動する第１のガイド片９４と、第１のガイド片９４から位置合わせ予定ラインＬに対して直交する方向に突出する第２のガイド片９５と、スライダＳ５に形成されて、位置合わせ予定ラインＬに対して傾けられて延在する第２のガイド溝９６と、第２の押え部材９７に一体的に形成されて、第２のガイド溝９６に沿って摺動する第３のガイド片９８と、第３のガイド片９８から位置合わせ予定ラインＬに対して直交する方向に突出する第４のガイド片９９と、ベース９０に固定された第１の蓋板１００に形成されて、位置合わせ予定ラインＬに対して直交する方向に延在して第２のガイド片９５が摺動する第３のガイド溝１００ａと、ベース９０に固定された第２の蓋板１０１に形成されて、位置合わせ予定ラインＬに対して直交する方向に延在して第４のガイド片９９が摺動する第４のガイド溝１０１ａとからなる。
【００３９】
更に、スライダＳ５の第１のガイド溝９２と第２のガイド溝９６は、位置合わせ予定ラインＬに対して等角度(例えば６０度)に配置され、第１のガイド溝９２と第２のガイド溝９６とで「ハ」の字状になっている。このような配置によって、スライダＳ５の移動に伴って、位置合わせ予定ラインＬに対して、第１の押え部材９３と第２の押え部材９７とは等距離で離間及び接近するような平行運動を行わせることができる。
【００４０】
また、２本のネジ１０３によって第１の蓋板１００とベース９０とでスライダＳ５及び第１の押え部材９３を挟み込み、２本のネジ１０４によって第２の蓋板１０１とベース９０とでスライダＳ５及び第２の押え部材９７を挟み込む。ベース９０の上面に形成した凹溝９０ａ内にスライダＳ５を収容することで、スライダＳ５は位置合わせ予定ラインＬに沿ってスムーズに移動できる。また、スライダＳ５には、Ｌ字状のレバー１０５ａ，１０５ｂが設けられ、これによって、スライダＳ５を位置合わせ予定ラインＬの方向に容易に移動させることができる。
【００４１】
(カートリッジの第６の実施形態)
図２１〜図２３に示されるように、簡単な構成でカートリッジＣ６の薄型化を可能にする平行運動手段１０９は、交差して、交点に設けられる回動軸１１０を中心に回動自在に支持された第１及び第２のリンク１１１，１１２と、第１及び第２のリンク１１１，１１２と長尺状の第１及び第２の押え部材１１３，１１４との間に配置された上側ベース１１５と、第１の押え部材１１３に形成されて、第１のリンク１１１の一端に設けられる第１の起立部(ピン)１１６が挿入されると共に、位置合わせ予定ラインＬの方向に延在する第１のガイド溝１１７と、第２の押え部材１１４に形成されて、第１のリンク１１１の他端に設けられる第２の起立部(ピン)１１８が挿入されると共に、位置合わせ予定ラインＬの方向に延在する第２のガイド溝１１９と、第１の押え部材１１３に形成されて、第２のリンク１１２の一端に設けられる第３の起立部(ピン)１２０が挿入されると共に、位置合わせ予定ラインＬの方向に延在する第３のガイド溝１２１と、第２の押え部材１１４に形成されて、第２のリンク１１２の他端に設けられる第４の起立部(ピン)１２２が挿入されると共に、位置合わせ予定ラインＬの方向に延在する第４のガイド溝１２３と、上側ベース１１５に形成されて、第１、第２、第３及び第４の起立部(ピン)１１６，１１８，１２０，１２２が挿入されると共に、各起立部(ピン)１１６，１１８，１２０，１２２の摺動を可能にした円弧状の第５、第６、第７及び第８のガイド溝１２４，１２５，１２６，１２７と、第１の押え部材１１３に形成されて、上側ベース１１５に設けられる第５の起立部(ピン)１２８が挿入されると共に、位置合わせ予定ラインＬの方向に対して直交する方向に延在する第９のガイド溝１２９と、第２の押え部材１１４に形成されて、上側ベース１１５に設けられる第６の起立部(ピン)１３０が挿入されると共に、位置合わせ予定ラインＬの方向に対して直交する方向に延在する第１０のガイド溝１３１とからなる。
【００４２】
さらに、第１及び第２の押え部材１１３，１１４には、長手方向に延在するレバー部１１３ａ，１１４ａが形成され、このレバー部１１３ａ，１１４ａを指で操作すると、第１の押え部材１１３と第２の押え部材１１４とは等距離で離間及び接近するような平行運動を行う。また、４本のネジ１３２によって連結された上側ベース１１５と下側ベース１３３とで第１及び第２のリンク１１１，１１２を挟み込み、下側ベース１３３には回動軸１１０が固定されている。
【００４３】
(カートリッジの作用効果)
このカートリッジＣ１〜Ｃ６は、平行に延在する第１の押え部材２０，４０，６０，７２，９３，１１３と第２の押え部材２１，４１，６１，７３，９７，１１４は位置合わせ予定ラインＬに対して、等距離で離間及び接近が可能であるから、カートリッジＣ１〜Ｃ６の位置合わせ予定ラインＬに対して傾いて又は位置合わせ予定ラインＬから外れて、カートリッジＣ１〜Ｃ６内に免疫クロマト試験片Ｔが配置された場合であっても、免疫クロマト試験片Ｔに向けて第１及び第２の押え部材２０，４０，６０，７２，９３，１１３，２１，４１，６１，７３，９７，１１４が移動すると、第１及び第２の押え部材２０，４０，６０，７２，９３，１１３，２１，４１，６１，７３，９７，１１４に免疫クロマト試験片Ｔが押されながら、免疫クロマト試験片ＴのセンターラインＳがカートリッジＣ１〜Ｃ６の位置合わせ予定ラインＬに向かって移動し、最終的に、どのような幅の免疫クロマト試験片Ｔであっても、免疫クロマト試験片ＴのセンターラインＳとカートリッジＣ１〜Ｃ６の位置合わせ予定ラインＬとが常に一致することになる。従って、作業性が良く、しかも免疫クロマト試験片Ｔの幅に関係なく、免疫クロマト試験片ＴのセンターラインＳとカートリッジＣ１〜Ｃ６の位置合わせ予定ラインＬとを確実に一致させることができる。よって、カートリッジＣ１〜Ｃ６の位置合わせ予定ラインＬと試験片測定装置１の測定光走査ラインＰとが一致するように、カートリッジＣ１〜Ｃ６を試験片測定装置１上に配置させると、測定光走査ラインＰ上に免疫クロマト試験片ＴのセンターラインＳを常に配置させることができる。
【００４４】
(試験片測定装置の第２の実施形態)
図２４に示されるように、試験片測定装置１４０は検体が滴下された免疫クロマト試験片Ｔの呈色度を測定する装置であり、前述した試験片測定装置１と主たる構成は同一であるが、この免疫クロマト試験片Ｔは、試験片保持機構１４１に載置される。この試験片保持機構１４１は、載置プレート３上に据え付けられており、カートリッジＣ１と基本的な構成は同じである。よって、この実施形態において、前述した試験片測定装置１と同一又は同等な構成部分には同一の符号を付し、その説明は省略する。なお、この試験片保持機構１４１には、前述したカートリッジＣ１〜Ｃ６の主たる構成が適用可能であり、この適用にあたって、「位置合わせ予定ラインＬ」は、「測定光走査ラインＰ」に読み替える。
【００４５】
本発明は、前述した実施形態に限定されないことは言うまでもない。例えば、カートリッジＣ１〜Ｃ６において、免疫クロマト試験片Ｔを、例えばプラスチックからなるケースに収容した免疫クロマト試験具として、このケースを第１の押え部材と第２の押え部材とで挟み込んでもよい。
【００４６】
起立部(ピン)とガイド溝との協働によって押え部材を、位置合わせ予定ラインＬに対して直交する方向にガイドさせる場合に限らず、ガイド板に沿って押え部材をガイドしてもよい。
【００４７】
押え部材の開閉の目安のために、スライダとベース板との間にクリック機構を設けても良い。また、斜めに延在するガイド溝を途中で変化させると、角度を変化させた部分で係止が可能になり、未使用時のガタツキ等を抑制することができる。なた、押え部材は、免疫クロマト試験片を挟み込む方向にバネにより付勢されてもよい。これにより、押え部材間に免疫クロマト試験片を配置させた後に、手を離すと自動的に押え部材で免疫クロマト試験片が挟み込まれる。
【００４８】
ガイド溝内に挿入される起立部は、ピンであってもネジであっても良く、ネジを使用する場合、ネジの頭が溝の外側に位置し、ネジの締め込みによって、押え部材の滑り抵抗の調整や、免疫クロマト試験片の固定状態を安定にすることが可能になる。また、光学ヘッド側が固定で、載置プレート側を動かしてもよい。また、載置プレートが無い試験片測定装置の場合、例えばカートリッジの側壁にラック形状を設けて、カートリッジをラック−ピニオンによって直線的にモータ駆動させてもよい。また、位置合わせ予定ラインＬに対して斜めに延在するガイド溝は、溝の角度を変えることで、押え部材の移動量を調整することができる。
【図面の簡単な説明】
【００４９】
【図１】本発明に係る試験片測定装置の第１の実施形態を示す斜視図である。
【図２】本発明に係るカートリッジの第１の実施形態を示す斜視図である。
【図３】図２に示されたカートリッジの分解斜視図である。
【図４】図２に示されたカートリッジの平面図である。
【図５】図２に示されたカートリッジの正面図である。
【図６】図２に示されたカートリッジの側面図である。
【図７】(Ａ)は押え部材の全閉状態を示す平面図であり、(Ｂ)は、押え部材の全開状態を示す平面図である。
【図８】本発明に係るカートリッジの第２の実施形態を示す斜視図である。
【図９】図８に示されたカートリッジの分解斜視図である。
【図１０】(Ａ)は押え部材の全閉状態を示す平面図であり、(Ｂ)は、押え部材の全開状態を示す平面図である。
【図１１】本発明に係るカートリッジの第３の実施形態を示す斜視図である。
【図１２】図１１に示されたカートリッジの分解斜視図である。
【図１３】(Ａ)は押え部材の全閉状態を示す平面図であり、(Ｂ)は、押え部材の全開状態を示す平面図である。
【図１４】本発明に係るカートリッジの第４の実施形態を示す斜視図である。
【図１５】図１４に示されたカートリッジの分解斜視図である。
【図１６】(Ａ)は押え部材の全閉状態を示す平面図であり、(Ｂ)は、押え部材の全開状態を示す平面図である。
【図１７】本発明に係るカートリッジの第５の実施形態を示す斜視図である。
【図１８】図１７に示されたカートリッジの分解斜視図である。
【図１９】図１７に示されたカートリッジの蓋板を外した状態を示す斜視図である。
【図２０】(Ａ)は押え部材の全閉状態を示す平面図であり、(Ｂ)は、押え部材の全開状態を示す平面図である。
【図２１】本発明に係るカートリッジの第６の実施形態を示す斜視図である。
【図２２】図２１に示されたカートリッジの分解斜視図である。
【図２３】(Ａ)は押え部材の全閉状態を示す平面図であり、(Ｂ)は、押え部材の全開状態を示す平面図である。
【図２４】本発明に係る試験片測定装置の第２の実施形態を示す斜視図である。
【符号の説明】
【００５０】
１，１４０…試験片測定装置、Ｃ１〜Ｃ６…カートリッジ、２ａ…免疫クロマト試験片の長辺、２０，４０，６０，７２，９３，１１３…第１の押え部材、２１，４１，６１，７３，９７，１１４…第２の押え部材、２２，１０９…平行運動手段、２３，４３，７６，１１６…第１の起立部(ピン)、２４，４４，７０，９２…第１のガイド溝、２６，４６，７４，９０，１１５…ベース、２７…第１のガイド面、２８…第２の起立部(ネジ)、４８，８０，１１８…第２の起立部(ピン)、２９，４７，７７，９６，１１９…第２のガイド溝、３０，５０，１２０…第３の起立部(ピン)、３１，４９，７８，１００ａ，１２１…第３のガイド溝、３２…第２のガイド面、３３…第４の起立部(ネジ)、５３，１２２…第４の起立部(ピン)、３４，５１，８１，１０１ａ，１２３…第４のガイド溝、５２…第５のガイド溝、５４…第６のガイド溝、７１，９４…第１のガイド片、７９，９５…第２のガイド片、９１…スライダガイド溝、９８…第３のガイド片、９９…第４のガイド片、１００…第１の蓋板、１０１…第２の蓋板、１１１…第１のリンク、１１２…第２のリンク、１１６…第５のガイド溝、１１８…第６のガイド溝、１２０…第７のガイド溝、１２２…第８のガイド溝、１２９…第９のガイド溝、１２８…第５の起立部(ピン)、１３０…第６の起立部(ピン)、１３１…第１０のガイド溝、Ｔ…免疫クロマト試験片、Ｌ…位置合わせ予定ライン、Ｐ…測定光走査ライン、Ｓ１〜Ｓ５…スライダ、Ｍ１〜Ｍ５…運動変換機構。
【図１】
0005342123.tif 000002
【図２】
0005342123.tif 000003
【図３】
0005342123.tif 000004
【図４】
0005342123.tif 000005
【図５】
0005342123.tif 000006
【図６】
0005342123.tif 000007
【図７】
0005342123.tif 000008
【図８】
0005342123.tif 000009
【図９】
0005342123.tif 000010
【図１０】
0005342123.tif 000011
【図１１】
0005342123.tif 000012
【図１２】
0005342123.tif 000013
【図１３】
0005342123.tif 000014
【図１４】
0005342123.tif 000015
【図１５】
0005342123.tif 000016
【図１６】
0005342123.tif 000017
【図１７】
0005342123.tif 000018
【図１８】
0005342123.tif 000019
【図１９】
0005342123.tif 000020
【図２０】
0005342123.tif 000021
【図２１】
0005342123.tif 000022
【図２２】
0005342123.tif 000023
【図２３】
0005342123.tif 000024
【図２４】
0005342123.tif 000025